(57)【特許請求の範囲】
【請求項１】
猛禽類の形状からなる飛行体を吊下線によって吊具に吊り下げてなり、上記吊具に上記吊下線を介して上記飛行体を回転飛行させるモータを設けると共に、上記吊下線を巻回するリールを設け、さらに上記モータおよび上記リールをそれぞれ別個に制御する制御手段を備えた鳥類忌避装置。
【請求項２】
飛行体に、発光装置、超音波発生装置、音声発生装置の何れか、若しくは、これらの組み合わせを設けた請求項１記載の鳥類忌避装置。
【請求項３】
タイマによって本装置を駆動する請求項１または２記載の鳥類忌避装置。
【請求項４】
照度センサによって本装置を駆動する請求項１または２記載の鳥類忌避装置。
【請求項５】
鳥類の飛来を検知するセンサからの信号により飛行体を飛行させる請求項１〜４の何れか１項記載の鳥類忌避装置。
【発明の詳細な説明】
技術分野
この発明は、飛行機の格納庫や大型倉庫などの建物にハトやカラスなどの鳥類が接近することを回避し、これら鳥類による被害を防止するための装置に関するものである。
背景技術
ハトやカラス等の鳥類は糞害を引き起こす。従って、これら糞害による被害は所によっては重大な問題になっている。例えば、格納庫や大型倉庫、或いは大工場に代表される建物では、飛行機の出入りや運搬車両の頻繁な出入りのため、出入口を開放したままにしておかなければならない。従って、鳥類がこれら建物に容易に侵入してしまう。又、一度、建物内に営巣をした鳥類、特にハトの営巣に対する執着は異常に強く、追い出しても再び戻ってしまうので、根本的な解決を図ることができないのが現状である。
ところで、一般に鳥類では天敵の関係が明確に確立されていて、たとえばハトやカラスなどは鷹、鷲あるいは隼などの猛禽類が天敵であるとされている。そして、ハトなどはこれら天敵の存在を確認すれば即座に逃避し、これを繰り返すことによって同じ場所には近づかなくなる。
この発明は、上述したハトやカラスなどの鳥類の天敵の関係を活用し、これら鳥類が接近しにくい環境を形成することを目的としている。
発明の開示
本発明は、猛禽類の形状からなる飛行体を飛行させることにより、鳥類の飛来接近を防止するものである。また、飛行体には、発光装置、超音波発生装置、音声発生装置の何れか、若しくは、これらの組合せを設けることもあり、当該構成によって、鳥類に対する威嚇を増大させることができる。
また、飛行体の具体的な飛行手段として、飛行体を吊下線によって吊具に吊り下げ、上記吊具に上記吊下線を介して上記飛行体を回転飛行させるモータを設けると共に、上記吊下線を巻回するリールを設け、さらに上記モータおよび上記リールを制御手段によってそれぞれ別個に制御することによって、飛行体の飛行態様を変化に富んだものとすることができる。
また、飛行体を回転飛行させる構成における制御手段をタイマや照度センサにより自動的にオン・オフすることによって、装置を鳥類の滑動時間帯にあわせて合理的に駆動させることができる。
さらに、鳥類の飛来を検知するセンサにより飛行体を飛行させることによって、より装置の小電力を図ることができる。
【図面の簡単な説明】
第１図は本発明に用いる飛行体の一例を示した斜視図、第２図は飛行体の回転飛行による本発明の第一実施例を示した斜視図、第３図は飛行体の回転飛行による本発明の第二実施例を示した斜視図、第４図は飛行体の回転飛行による本発明の第三実施例を示した斜視図である。
発明を実施するための最良の形態
以下、本発明を実施するための最良の形態を添付した図面に従って説明する。図１は、本発明に用いる飛行体の一例を示したものであるが、図示した飛行体１は、鳩やカラスなど（以下、単に「鳥類」という）の天敵とされている鷹や鷲、又は隼などの猛禽類の特徴、すなわち、少なくとも強大な翼１ａをもち、鋭い嘴１ｂや爪１ｃを模造したものである。この飛行体１の成型にあたっては、プラスチックなどのように、成形性に優れ、軽量かつ耐久性を有する材質により成型することが好ましいが、特にこれに限定する必要はなく、代わりに猛禽類の剥製を飛行体１として採用することもある。この場合、鳥類を威嚇するのに最も適していることはいうまでもない。ただし、飛行体１は少なくとも猛禽類を模した形状を有することを条件に、その材質は本装置の使用頻度や設置環境に応じて適宜最適なものを選択することが可能である。
上記飛行体１において、より鳥類の忌避作用を高めるための構成例を説明すると、飛行体１の眼に相当する部分１ｄに赤色の発光ダイオードや電球などの発光装置を取り付け、それを点滅または点灯させることによって鳥類に対する威嚇効果を増すことができる。ただし、発光装置の発光色は上記赤色に限定されない。また、鳥類は電磁波の変動を嫌う習性があることが従来から知られているが、これに鑑み、飛行体１に比較的強力な永久磁石や超音波発生装置を取り付けることも有効である。さらに、飛行体１に猛禽の鳴き声を発する音声発生装置を内蔵することによって鳥類の忌避作用を高めることができる。これら構成例はそれぞれ、鳥類を視覚的、感覚的、聴覚的に威嚇する作用を行うものであり、全てを同時に採用することで鳥類の忌避効果を最も高めることが期待できる。しかし、必ずしも全てを採用する必要はなく、本発明装置の使用環境等に応じてその組み合わせは自由である。
次に、上記飛行体１を飛行させて鳥類を威嚇し、建物への接近を防止するための構成について詳説する。
図２は、上記飛行体１を回転飛行させるように構成した本発明の第一実施例を示したものであり、その基本構成は飛行体１を、吊下線３を介して建物等に固定したブラケット型の吊具２の先端に吊り下げてなる。ここで吊下線３は、ピアノ線やワイヤなど耐久性に優れた材質のものが好ましいが、その材質はこれらに限定されない。
具体的には、吊具２の先端にはユニットボックス４内に装備したモータ５と、これと連動する回転体６が装備されており、この回転体６に吊下線３の一端を連結し、モータ５を駆動することによって、飛行体１をモータ５の回転軸周りに飛行させるものである。ここで回転体６は、モータ５の回転力を飛行体１に伝達し、当該飛行体１を回転飛行させる機能を果たすものであるが、その構造は図示した円盤形に限らず、例えばＬ字形など、その他、上記機能を発揮することを条件に公知の構造を採用してもよい。また、モータ５はユニットボックス４に内蔵した制御手段（図示せず）によってその回転数が制御されており、モータ５の回転数を上げることで飛行速度が上がると同時に、飛行体１に働く遠心力が大きくなって飛行高度を上げることができる。
この原理を利用すれば、上記制御手段によりモータ５の回転数を可変することで、そのときの吊下線３の長さＲを半径とした半球体Ｂにおける任意の点を通過するような飛行態様を実現することができるのである。なお、本発明においては、制御手段の設置位置を上記ユニットボックス４内に限定する必要はなく、遠隔操作を行うための監視室等に設置するなど、モータ５を制御することができれば何れであってもよいことはもちろんである。
また、上記構成において、上記ユニットボックス４内または回転体６、さらには飛行体１の何れかには、吊下線３を巻回可能なリール（図示せず）が内蔵されている。このリールは上記モータ５と同様に制御手段によって制御され、吊下線３の巻取量や繰出量が可変される。つまり、制御手段によりリールからの吊下線３の繰り出し長さを調整することによって、飛行体１の飛行範囲（上述した半球体Ｂの大きさ）を決定することができる。
従って、この第一実施例では、上記モータ５およびリールにより、飛行体１は吊下線３の最大長を半径とする半球体の全領域を飛行範囲として自由に飛行するのである。また、モータ５とリールをコンピュータなどの制御手段を用いてそれぞれ別個に制御し、かつモータ５の回転数およびリールによる吊下線３の単位時間当たりの巻取量を一定の規則性をもって若しくはランダムに制御することで、飛行体１の飛行態様を本物の猛禽類の飛行態様と似せることができ、飛行体１の同一飛行態様による鳥類の慣れを防ぐことができると同時に、鳥類に対する威嚇効果を高めることができる。なお、制御手段は上記コンピュータに限らず、飛行体１の飛行態様が単調とならないことを条件に別手段であってもよい。
次に、第３図は、飛行体１を回転飛行させるための第二実施例を示したもので、上記第一実施例におけるブラケット型の吊具２に代えてマスト７を採用し、その先端に上述したモータ５および回転体６（図２とは上下逆に配置）を取り付けて飛行体１を飛行させるようにしたものである。
また、第４図に示される第三実施例は、上記実施例と同じく飛行体１を回転飛行させることを基本構成とするものであるが、２本のマスト７・７間にレール８を設け、このレール８に沿ってモータ５やリール内蔵のユニット９を往復動させるように構成したことを特徴とするものであり、鳥類の忌避範囲を拡張したものである。なお、第三実施例ではレール８を有限長の直線状としたが、その他、建物の周囲を自走することができるように無端状としたり、波形状とすることもあり、この場合のレール構造は、鳥類を忌避したい範囲、すなわち建物の構造や大きさ等に応じて自由に設計することができる。
ところで、鳥類の多くは一般に暮夜になると視力を失う、いわゆる鳥目であるとされており、夜間に活動することはほとんどない。この性質に鑑み、本発明では、装置を日中のみ稼働させるために、タイマ又は照度センサを装置し、その信号によって制御手段（モータ５やリールを含む）や分電盤１２に対する電源をオン・オフするように構成している。すなわち、タイマによる場合は、日の出と日没の時間をセットしておき、当該時間になれば電源スイッチを自動的にオン・オフする。他方、照度センサを採用した場合は、予め基準照度を設定しておき、屋外照度がこれを越えたときは電源をオンすると共に、屋外照度が基準照度を下回ったときは電源を自動的にオフするように構成する。これら構成により、本発明の装置を鳥類の活動時間帯にあわせて駆動させることができ、合理的である。
なお、より省電力、かつ効率よく本発明の装置を駆動させるには、上記タイマや照度センサと同時に鳥類の飛来を検知する赤外線センサなどを鳥類の侵入域に設置しておき、これを飛行体１の回転飛行について例示した実施形態の制御手段と接続することで可能である。即ち、電源がオンされていて装置がスタンバイの状態であっても、鳥類が飛来してこない限り飛行体１の駆動手段は駆動せず、センサからの検知信号を受けて初めて飛行体１を飛行させるため、装置の消費電力を抑えることができる。
【図１】
0003706391.tif 000002
【図２】
0003706391.tif 000003
【図３】
0003706391.tif 000004
【図４】
0003706391.tif 000005